(57)【要約】【課題】文字等の情報をペンで入力する際に、そのペンを持つ手の影内に、ペン先が位置しないようにすることができ、しかも、上記手の小指等の不要部分を感知すると、その不要部分の情報を排除することができる入力デバイスを提供する。【解決手段】入力デバイスＡは、長方形状の入力用中空部Ｓを有する四角枠状に形成されており、四角枠状の光導波路Ｗと、この光導波路Ｗに接続される２個の発光素子５１，５２および２個の受光素子６１，６２と、入力デバイスＡを制御するＣＰＵとを備えている。入力用中空部Ｓでは、左斜め下方向の出射光Ｈ1 と縦方向の出射光Ｈ2 とが斜めに交差するようになっている。上記ＣＰＵには、入力用中空部Ｓにおいて、ペン先Ｐによる遮光面積よりも広い、ペンを持つ手Ｑによる遮光面積を感知した際に、その遮光面積の違いから広い方の遮光部分を不要情報と認識するプログラムが組み込まれている。【選択図】図２
2013016009.tif 000002
【特許請求の範囲】
【請求項１】
枠に囲まれた空間が入力用中空部になっている枠状板と、上記入力用中空部において出射光が交差するように上記枠状板に設けられた第１および第２の発光手段と、これら第１および第２の発光手段からの出射光を受光する受光手段とを備え、上記入力用中空部における入力体の先端入力部による上記出射光の遮光部分を入力情報とする入力デバイスであって、上記入力体の先端入力部による遮光面積よりも広い遮光面積を感知した際に、その遮光面積の違いから広い方の遮光部分を不要情報と認識する不要部分認識手段と、上記入力体の先端入力部が、上記広い方の遮光部分をつくる、上記入力体を持つ手の影内に位置しないよう、上記出射光の交差を斜めに設定する設定手段とを備えていることを特徴とする入力デバイス。
【請求項２】
上記出射光の斜めの交差が、縦方向の出射光と斜め下方向の出射光との斜めの交差である請求項１記載の入力デバイス。
【請求項３】
上記斜め下方向の出射光の出射角度が、横方向に対し下方向に５〜６０°の範囲内に設定されている請求項２記載の入力デバイス。
【請求項４】
上記第１および第２の発光手段が、発光素子と、この発光素子に接続された、光導波路の複数の光出射用コアとからなり、上記受光手段が、受光素子と、この受光素子に接続された、光導波路の複数の光入射用コアとからなり、上記光出射用コアの先端部と上記光入射用コアの先端部とが対向した状態で、上記第１および第２の発光手段からの出射光が斜めに交差している請求項１〜３のいずれか一項に記載の入力デバイス。
【請求項５】
上記第１および第２の発光手段が、複数の発光素子からなり、上記受光手段が、複数の受光素子からなり、上記複数の発光素子と上記複数の受光素子とが、対向している請求項１〜３のいずれか一項に記載の入力デバイス。
【発明の詳細な説明】
【技術分野】
【０００１】
本発明は、光学的な位置検出手段を備えた入力デバイスに関するものである。
【背景技術】
【０００２】
従来より、入力デバイスとして、複数の発光素子および受光素子を備えた光学的位置検出装置（例えば、特許文献１参照）が提案されている。このものは、四角枠状に形成され、その四角枠を構成する一対のＬ字状部分の一方に、発光素子を複数並設し、他方に、上記発光素子に対向する受光素子を複数並設したものとなっている。そして、その四角枠状の光学的位置検出装置は、四角形のディスプレイの周縁に沿って設置され、その四角枠内でペンを移動させることにより、文字等の情報を入力し、上記ディスプレイに表示することができるようになっている。
【０００３】
すなわち、上記四角枠内では、上記複数の発光素子により、光が格子状に走った状態になっており、その四角枠内でペンを移動させると、上記発光素子からの光がペン先により遮光され、その遮光を、上記発光素子に対向する受光素子が感知することにより、上記ペン先の軌跡（文字等の入力情報）を検知するようになっている。そして、その軌跡を信号として上記ディスプレイに出力するようになっている。
【先行技術文献】
【特許文献】
【０００４】
【特許文献１】特許第３６８２１０９号公報
【発明の概要】
【発明が解決しようとする課題】
【０００５】
しかしながら、上記四角枠状の光学的位置検出装置は、上記ディスプレイの周縁に沿って設置されるため、上記四角枠内が広くなっている。そのため、上記四角枠内に文字等を上記ペンで入力しようとすると、そのペン先だけでなく、そのペンを持つ手の小指やその付け根部分（小指球）等も、上記四角枠内において、上記ディスプレイの表面に接触する。この場合、上記四角枠内において、上記ディスプレイの表面に接触した部分全体が感知されるため、不要部分（上記小指やその付け根部分等）も感知され、それにより、その不要な情報も上記ディスプレイに表示されるという問題がある。そこで、上記小指やその付け根部分等が上記ディスプレイの表面に接触しないようにして、上記ペンで文字等を入力しようとすると、今度は、その文字等が乱れ、適正に入力することができないという問題が起こる。
【０００６】
しかも、図１７に示すように、上記光学的位置検出装置Ｚの枠内に、通常にペンを持って入力すると、ペンを持つ手Ｑの影Ｕの内側に、ペン先Ｐが位置する場合が多く、そのような場合は、そのペン先Ｐを感知することができないため、そのペン先Ｐの移動による入力情報をディスプレイに表示することができない。
【０００７】
本発明は、このような事情に鑑みなされたもので、文字等の情報をペンで入力する際に、そのペンを持つ手の影内に、ペン先が位置しないようにすることができ、しかも、上記手の小指等の不要部分を感知すると、その不要部分の情報を排除することができる入力デバイスの提供をその目的とする。
【課題を解決するための手段】
【０００８】
上記の目的を達成するため、本発明の入力デバイスは、枠に囲まれた空間が入力用中空部になっている枠状板と、上記入力用中空部において出射光が交差するように上記枠状板に設けられた第１および第２の発光手段と、これら第１および第２の発光手段からの出射光を受光する受光手段とを備え、上記入力用中空部における入力体の先端入力部による上記出射光の遮光部分を入力情報とする入力デバイスであって、上記入力体の先端入力部による遮光面積よりも広い遮光面積を感知した際に、その遮光面積の違いから広い方の遮光部分を不要情報と認識する不要部分認識手段と、上記入力体の先端入力部が、上記広い方の遮光部分をつくる、上記入力体を持つ手の影内に位置しないよう、上記出射光の交差を斜めに設定する設定手段とを備えているという構成をとる。
【０００９】
本発明者らは、光学的な位置検出手段を利用して、ペン等の入力体を手に持って文字等の情報を入力する際に、ペン先等の先端入力部が、その入力体を持つ手の影内に位置しないようにすべく、光の方向について研究を重ねた。その結果、従来のように出射光を格子状にするのではなく、出射光の交差を斜めにすると、ペン先等が手の影内に位置しないようになることを見出し、本発明に到達した。
【００１０】
なお、本発明における上記出射光の「交差」とは、出射光同士が衝突する交差だけでなく、互いに高さ方向に距離をおいて走る出射光が平面視で交差した状態になっている場合も含む意味である。
【発明の効果】
【００１１】
本発明の入力デバイスは、入力用中空部において、第１の発光手段からの出射光と第２の発光手段からの出射光との交差が、斜めになっているため、ペン等の入力体を手に持って、入力用中空部内の領域に文字等の情報を入力する際に、ペン先等の先端入力部が、その入力体を持つ手の影内に位置しないようにすることができる〔図２（ａ）参照〕。そのため、先端入力部を適正に感知することができる。このとき、入力情報に不要な上記手の小指等も感知されるが、本発明の入力デバイスは、不要部分認識手段を備えているため、遮光面積の違いから、遮光面積の小さい先端入力部と遮光面積の大きい手の小指等（不要部分）とを区別することができ、遮光面積が広い方の遮光部分を不要情報と認識することができる。これにより、その不要情報は、排除され、例えば、ディスプレイに表示されないようにしたり、データとして保存されないようにしたりすることができる。
【００１２】
特に、上記出射光の斜めの交差が、縦方向の出射光と斜め下方向の出射光との斜めの交差である場合には、出射光の斜めの交差の設定を容易にすることができる。
【００１３】
なかでも、上記斜め下方向の出射光の出射角度が、横方向に対し下方向に５〜６０°の範囲内に設定されている場合には、より確実に、先端入力部が入力体を持つ手の影内に位置しないようにすることができるようになる。
【００１４】
また、上記第１および第２の発光手段が、発光素子と、この発光素子に接続された、光導波路の複数の光出射用コアとからなり、上記受光手段が、受光素子と、この受光素子に接続された、光導波路の複数の光入射用コアとからなり、上記光出射用コアの先端部と上記光入射用コアの先端部とが対向した状態で、上記第１および第２の発光手段からの出射光が斜めに交差している場合には、上記枠状板上に上記光導波路が形成され、その光導波路は薄く形成することができるため、入力体で入力する際に、本発明の入力デバイスが、入力体の使用の妨げにならず、入力し易くなっている。
【００１５】
一方、上記第１および第２の発光手段が、複数の発光素子からなり、上記受光手段が、複数の受光素子からなり、上記複数の発光素子と上記複数の受光素子とが、上記枠状板の内側縁に位置決めされた状態で対向している場合には、上記発光素子および上記受光素子がある程度厚みを有するため、本発明の入力デバイスも全体的にある程度厚く形成され、その入力デバイスを剛性および強度のあるものとすることができる。
【図面の簡単な説明】
【００１６】
【図１】本発明の入力デバイスの第１の実施の形態を模式的に示す斜視図である。
【図２】（ａ）は、上記入力デバイスを模式的に示す平面図であり、（ｂ）は、（ａ）のＤ−Ｄ断面の拡大図である。
【図３】上記入力デバイスにおける光導波路，発光素子，受光素子を模式的に示す平面図である。
【図４】（ａ）〜（ｃ）は、上記入力デバイスの作製方法の一例を模式的に示す説明図である。
【図５】（ａ）〜（ｃ）は、上記図４に示す工程に続く入力デバイスの作製方法を模式的に示す説明図である。
【図６】上記図５に示す工程に続く入力デバイスの作製方法を模式的に示す説明図である。
【図７】上記図６に示す工程に続く入力デバイスの作製方法を模式的に示す説明図である。
【図８】本発明の入力デバイスの第２の実施の形態における光導波路を模式的に示す平面図である。
【図９】（ａ）は、本発明の入力デバイスの第３の実施の形態における積層された光導波路，発光素子，受光素子を模式的に示す平面図であり、（ｂ）は、その一方の光導波路等を、（ｃ）は、他方の光導波路等を模式的に示す縮小した平面図である。
【図１０】（ａ）は、本発明の入力デバイスの第４の実施の形態における積層された光導波路，発光素子，受光素子を模式的に示す平面図であり、（ｂ）は、その一方の光導波路等を、（ｃ）は、他方の光導波路等を模式的に示す縮小した平面図である。
【図１１】（ａ）は、本発明の入力デバイスの第５の実施の形態における積層された光導波路，発光素子，受光素子を模式的に示す平面図であり、（ｂ）は、その一方の光導波路等を、（ｃ）は、他方の光導波路等を模式的に示す縮小した平面図である。
【図１２】本発明の入力デバイスの第６の実施の形態における光導波路，発光素子，受光素子を模式的に示す平面図である。
【図１３】（ａ）は、本発明の入力デバイスの第７の実施の形態における積層された光導波路，発光素子，受光素子を模式的に示す平面図であり、（ｂ）は、その一方の光導波路等を、（ｃ）は、他方の光導波路等を模式的に示す縮小した平面図である。
【図１４】（ａ）は、本発明の入力デバイスの第８の実施の形態における積層された光導波路，発光素子，受光素子を模式的に示す平面図であり、（ｂ）は、その一方の光導波路等を、（ｃ）は、他方の光導波路等を模式的に示す縮小した平面図である。
【図１５】（ａ）は、本発明の入力デバイスの第９の実施の形態における積層された光導波路，発光素子，受光素子を模式的に示す平面図であり、（ｂ）は、その一方の光導波路等を、（ｃ）は、他方の光導波路等を模式的に示す縮小した平面図である。
【図１６】本発明の入力デバイスの第１０の実施の形態を模式的に示す平面図である。
【図１７】従来の光学的位置検出装置によるペン先の感知状況を模式的に示す説明図である。
【発明を実施するための形態】
【００１７】
つぎに、本発明の実施の形態を図面にもとづいて詳しく説明する。
【００１８】
図１は、本発明の入力デバイスの第１の実施の形態を示す斜視図であり、図２（ａ）は、その平面図、図２（ｂ）は、図２（ａ）のＤ−Ｄ断面の拡大図である。この実施の形態の入力デバイスＡは、図１に示すように、長方形状の入力用中空部（窓部）Ｓを有する四角枠状に形成されている。その入力デバイスＡの内部には、図２（ａ），（ｂ）に示すように、上記入力用中空部Ｓよりも広い平行四辺形状の走光用中空部（窓部）Ｒを有する四角枠状の光導波路Ｗと、この光導波路Ｗの２個所の角部に接続される発光素子（図では「Ｖ」で示す）５１，５２および他の２個所の角部に接続される受光素子（図では「Ｃ」で示す）６１，６２を有する制御手段とを備えている。これら光導波路Ｗと制御手段とは、上記入力用中空部Ｓを有する四角枠状の保持板（枠状板）３０の表面に設けられているとともに、上記入力用中空部Ｓを有する四角枠状の保護板４０で覆われている。
【００１９】
そして、上記光導波路Ｗでは、その走光用中空部Ｒにおいて、左斜め下方向〔図２（ａ）では右から左斜め下に向かう方向〕と縦方向〔図２（ａ）では下から上に向かう方向〕とに光が出射され、それら出射光Ｈ1 ，Ｈ2 が斜めに交差するようになっている。上記左斜め下方向の出射光Ｈ1 は、図２（ａ）において、対向する一対の縦方向の帯状の光導波路部分のうち、右側の光導波路部分のコア２ａの先端部（光出射部）を斜め下方向に形成すること（設定手段）により、実現している。そして、上記斜め下方向の出射光Ｈ1 を入射する左側の光導波路部分のコア２ｂの先端部（光入射部）は、斜め上方向に形成されている。なお、上記光導波路Ｗは、四角枠状のアンダークラッド層１と、このアンダークラッド層１の表面に所定パターンに形成されたコア２ａ，２ｂと、このコア２ａ，２ｂを被覆した状態で、上記アンダークラッド層１の表面に形成された四角枠状のオーバークラッド層３とからなっている。上記アンダークラッド層１は、上記四角枠状の保持板３０の表面に貼着されている。
【００２０】
また、上記制御手段は、上記発光素子５１，５２，受光素子６１，６２に加え、上記入力デバイスＡを制御するＣＰＵ（中央処理装置）（図示せず）も備えており、そのＣＰＵには、入力用中空部Ｓにおいて、ペン（入力体）のペン先（先端入力部）Ｐによる上記光の遮光面積よりも広い遮光面積（ペンを持つ手Ｑの小指等による上記光の遮光面積）を感知した際に、その遮光面積の違いから広い方の遮光部分を不要情報と認識するプログラム（不要部分認識手段）が組み込まれている。
【００２１】
より詳しく説明すると、上記四角枠状の光導波路Ｗは、図３に示すように、その四角枠形状の各辺の帯状の光導波路部分を個別に作製し、それを四角枠状に接続したものとなっている。この実施の形態では、上記帯状の各光導波路部分の両端縁が段部に形成されており、その段部を利用して位置決めした状態で、隣接し合う光導波路部分と光導波路部分とが接続されている。上記４本の帯状の光導波路部分のうち、隣り合う２本が光出射側、それに対向する残りの隣り合う２本が光入射側となっている。
【００２２】
そして、光出射側の各帯状の光導波路部分では、上記四角枠状の外周縁部に対応する部分に上記発光素子５１，５２が１個接続され、その接続部分から、その枠状の内周縁部に対応する部分に、光出射用のコア２ａが複数に分岐された状態で形成されている。そのうちの１本（図３では右側）の帯状の光導波路部分では、先に述べたように、上記光出射用のコア２ａの先端部（光出射部）が斜め下方向に形成されており、それにより、斜め下方向に光が出射されるようになっている。もう一本（図３では下側）の帯状の光導波路部分は、略直角三角形状に形成され、その傾斜辺部分に上記光出射用のコア２ａの先端部（光出射部）が上向きに形成されており、それにより、上方向に光が出射されるようになっている。
【００２３】
一方、光入射側の各帯状の光導波路部分では、上記四角枠状の外周縁部に対応する部分に上記受光素子６１，６２が接続され、その接続部分から、その枠状の内周縁部に対応する部分に、複数の光入射用のコア２ｂが並列状態で形成されている。そのうち、上記光を斜め下方向に出射する光導波路部分に対向する、１本〔図２（ａ）では左側〕の帯状の光導波路部分では、上記光入射用のコア２ｂの先端部（光入射部）が斜め上方向に形成されており、それにより、上記斜め下方向の出射光Ｈ1 を入射するようなっている。もう一本（図３では上側）の帯状の光導波路部分は、略直角三角形状に形成され、その傾斜辺部分に上記光入射用のコア２ｂの先端部（光入射部）が下向きに形成されており、それにより、上記上方向の出射光Ｈ2 を入射するようなっている。
【００２４】
すわなち、光出射側では、先端部が斜め下方向に形成された複数の光出射用のコア２ａとそれら光出射用のコア２ａに接続された１個の上記発光素子５１とから第１の発光手段が構成され、隣の１本の帯状の光導波路部分の複数の光出射用のコア２ａとそれら光出射用のコア２ａに接続された別の１個の上記発光素子５２とから第２の発光手段が構成されている。また、光入射側では、先端部が斜め下方向に形成された複数の光入射用のコア２ｂとそれら光入射用のコア２ｂに接続された１個の上記受光素子６１とから第１の受光手段が構成され、隣の１本の帯状の光導波路部分の複数の光入射用のコア２ｂとそれら光入射用のコア２ｂに接続された別の１個の上記受光素子６２とから第２の受光手段が構成されている。そして、上記第１および第２の各発光手段により、互いに平行な複数の出射光Ｈ1 ，Ｈ2 からなる平行光群が２組構成され、上記第１の発光手段からの平行光群（左斜め下方向の出射光Ｈ1 ）と、上記第２の発光手段からの平行光群（縦方向の出射光Ｈ2 ）とが、上記平行四辺形状の走光用中空部Ｒにおいて、同一平面上で衝突した状態で、斜めに交差するように形成されている。そして、上記第１の発光手段からの平行光群は、上記第１の受光手段で受光され、上記第２の発光手段からの平行光群は、上記第２の受光手段で受光される。
【００２５】
そして、この実施の形態では、図２（ａ）に示すように、上記平行四辺形状の走光用中空部Ｒの一部が、上記長方形状の入力用中空部Ｓになっている。これにより、その入力用中空部Ｓにおいて、上記第１の発光手段からの平行光群が、上記入力用中空部Ｓの長方形状の横方向（Ｘ軸方向）に対し斜め下方向に出射され、上記第２の発光手段からの平行光群が、上記長方形状の縦方向（Ｙ軸方向）に沿って（Ｘ軸方向に対し直角）に出射された状態になっている。
【００２６】
このように、上記２組の平行光群を斜めに交差させることにより、上記入力用中空部Ｓ内の領域に文字等の情報をペンで入力する際に、ペン先Ｐが、そのペンを持つ手Ｑの影Ｕの内側に位置しないようにすることができる。特に、より確実に、ペン先Ｐがペンを持つ手Ｑの影Ｕの内側に位置しないようにすることができる観点から、光の出射方向は、横方向（Ｘ軸方向）に対し下方向に５〜６０°（図示の角度θ）の範囲内に設定されることが好ましく、より好ましくは１０°〜４５°の範囲内である。なお、この実施の形態では、入力デバイスを右利きの人用としており、左利きの人用とする場合は、左斜め下方向の出射光Ｈ1 を、右斜め下方向の出射光にすればよい。
【００２７】
ここで、この実施の形態では、上記四角枠の内周縁に位置決めされているコア２ａ，２ｂの先端部が、平面視形状が略１／２円弧状の曲面を有する凸状のレンズ部に形成され、そのレンズ部を被覆するオーバークラッド層３の先端部が、側断面形状が略１／４円弧状の曲面を有する凸状のレンズ部３ａに形成されている。そして、上記入力デバイスＡにおいて、上記発光素子５１，５２からの光は、上記光出射用のコア２ａを通り、その先端のレンズ部を経て、それを被覆するオーバークラッド層３のレンズ部３ａの表面から出射される。この出射光Ｈ1 ，Ｈ2 は、上記光出射用のコア２ａの先端のレンズ部およびそれを被覆するオーバークラッド層３のレンズ部３ａの屈折作用により、発散が抑制されている。そして、この状態で、光導波路Ｗの入力用中空部Ｓ内の領域でペンを移動させることにより、文字，図，印等の情報を入力することができる。すなわち、上記光導波路Ｗの入力用中空部Ｓ内の領域で上記ペンを移動させると、上記出射光Ｈ1 ，Ｈ2 は、上記ペンのペン先Ｐにより遮光され、その遮光が上記受光素子６１，６２により感知されることにより、上記ペンの先端の軌跡（文字等の入力情報）が検知される。なお、図２（ａ）では、コア２ａ，２ｂを鎖線で示しており、鎖線の太さがコア２ａ，２ｂの太さを示している。また、図２（ａ），（ｂ）では、コア２ａ，２ｂの数を略して図示している。
【００２８】
一方、上記制御手段は、上記発光素子５１，５２，受光素子６１，６２および上記ＣＰＵ（図示せず）に加え、上記光導波路Ｗの入力用中空部Ｓ内の領域に入力した情報（ペン先Ｐの移動軌跡の情報）を出力する出力モジュール（図示せず），その情報を記憶する記憶手段（図示せず），電源となる電池（図示せず）等も備えている。そして、上記発光素子５１，５２，上記受光素子６１，６２，上記ＣＰＵ，上記出力モジュール，上記記憶手段，上記電池等は、回路基板に搭載され、電気的に適正に接続されている。
【００２９】
そして、上記ＣＰＵには、先に述べたように、入力用中空部Ｓにおいて、ペン先Ｐによる上記光の遮光面積よりも広い遮光面積（ペンを持つ手Ｑの小指等による上記光の遮光面積）を感知した際に、その遮光面積の違いから広い方の遮光部分を不要情報と認識するプログラムが組み込まれている。すなわち、上記入力用中空部Ｓにペンで入力する際には、入力情報に不要な上記ペンを持つ手Ｑの小指等も感知されるが、上記ＣＰＵに組み込まれているプログラムにより、遮光面積の違いから、遮光面積の小さいペン先Ｐと遮光面積の大きい手Ｑの小指等（不要部分）とを区別することができ、遮光面積が広い方の遮光部分を不要情報と認識することができる。これにより、その不要情報は、排除され、例えば、ディスプレイに表示されないようにしたり、データとして保存されないようにしたりすることができる。
【００３０】
ここで、上記遮光部分の位置は、受光素子６１，６２からの検出電圧の変化量がピークを示す位置により判断することができ、上記遮光面積は、そのピーク幅により判断することができる。そのため、図２（ａ）に示す入力デバイスＡでは、右利きの人の場合、最も左かつ最も上の位置の上記ピークをペン先Ｐと判断するすることも可能である（左利きの人の場合、最も右かつ最も上の位置）。また、右利きの人が上記入力デバイスＡを使用中に、左手等が上記入力用中空部Ｓで感知された場合、最もピーク幅の狭いものをペン先Ｐと判断することも可能である。
【００３１】
さらに、上記ＣＰＵに追加するプログラムとして、例えば、始めの少しの一定時間は、ペン先Ｐでも手Ｑでも感知したものを無効としてもよい。これにより、始めに手Ｑだけが感知された場合に、それをペン先Ｐと認識しないようにすることができる。また、入力用中空部Ｓ内にゴミ等があると、そのゴミ等もペン先Ｐと同様のものと感知するため、その状態でペンによる入力があると、２個所以上で感知されることとなる。このような場合、アラームを出すようにしてもよい。そのようにすると、上記入力用中空部Ｓ内にゴミ等があることを、知ることができる。さらに、入力デバイスＡの使用環境が非常に明るい場合（屋外等）、ペン先Ｐで遮光しても、外部から強い光が光入射用のコア２ｂの先端部から入射し、ペン先Ｐ（遮光部分）を感知できないため、そのように強い光を感知した場合は、アラームを出すようにしてもよい。
【００３２】
このような入力デバイスＡは、例えば、パーソナルコンピュータ（以下「パソコン」という）とともに使用される。すなわち、上記パソコンのディスプレイに資料等の情報を表示し、その表示された情報に、文字，図，印等の情報を加えたい場合、上記入力デバイスＡをテーブル上やテーブル上の紙上等に載置し、その入力デバイスＡの入力用中空部Ｓ内の領域に、上記文字等の情報をペンで入力する。これにより、そのペンの先端部の軌跡が、上記入力デバイスＡにより、検知されるとともに、信号として上記パソコンに無線または接続ケーブルで伝達され、上記ディスプレイに表示することができる。これにより、上記ディスプレイには、上記資料等の情報に、上記入力デバイスＡで入力した文字等の情報が重ね合わさった状態で表示される。
【００３３】
ここで使用される上記パソコンには、上記入力デバイスＡの入力用中空部Ｓで入力した文字等を、その入力した位置に対応するディスプレイの位置に表示させるために、入力デバイスＡの入力用中空部Ｓ内の領域の座標を、ディスプレイの画面の座標に変換し、入力デバイスＡで入力した文字等をディスプレイに表示するソフトウェア（プログラム）が組み込まれている。
【００３４】
なお、上記資料等の情報は、通常、上記パソコン内のハードディスクや外部のＵＳＢメモリ等の情報記憶媒体に予め記憶させておき、その情報記憶媒体から出力される。そして、上記ディスプレイに表示された、上記資料等の情報と上記入力デバイスＡで入力した文字等の情報とが重ね合わさった情報は、上記情報記憶媒体に記憶することができる。
【００３５】
このように、この実施の形態の入力デバイスＡは、光導波路Ｗが１枚でペン先Ｐの位置感知が可能であるため、薄型化が可能であり、また、設計や座標変換が容易にできる。
【００３６】
つぎに、上記入力デバイスＡの作製方法の一例について説明する。この実施の形態では、四角枠状の光導波路Ｗの作製は、その四角枠形状の各辺の帯状の光導波路部分を個別に作製し、それを四角枠状に接続することにより行われる。なお、光導波路Ｗの作製方法の説明に引用する図４（ａ）〜（ｃ），図５（ａ）〜（ｃ）は、図２（ａ）のＤ−Ｄ断面に相当する部分を図示している。
【００３７】
まず、帯状の光導波路部分を形成するための基板１０〔図４（ａ）参照〕を準備する。この基板１０の形成材料としては、例えば、金属，樹脂，ガラス，石英，シリコン等があげられる。
【００３８】
ついで、図４（ａ）に示すように、上記基板１０の表面に、帯状のアンダークラッド層１を形成する。このアンダークラッド層１は、感光性樹脂を形成材料として、フォトリソグラフィ法により形成することができる。アンダークラッド層１の厚みは、例えば、５〜５０μｍの範囲内に設定される。
【００３９】
つぎに、図４（ｂ）に示すように、上記アンダークラッド層１の表面に、フォトリソグラフィ法により前記パターンの光出射用のコア２ａおよび光入射用のコア２ｂを形成する。これらコア２ａ，２ｂの形成材料としては、上記アンダークラッド層１および下記オーバークラッド層３〔図５（ｂ）参照〕の形成材料よりも屈折率が高い感光性樹脂が用いられる。
【００４０】
ここで、図４（ｃ）に示すように、オーバークラッド層形成用の、透光性を有する成形型２０を準備する。この成形型２０には、オーバークラッド層３〔図５（ｂ）参照〕の表面形状に対応する型面を有する凹部２１が形成されている。そして、その凹部２１を上にして、成形型２０を成形ステージ（図示せず）の上に設置し、その凹部２１に、オーバークラッド層３の形成材料である感光性樹脂３Ａを充填する。
【００４１】
ついで、図５（ａ）に示すように、上記アンダークラッド層１の表面にパターン形成したコア２ａ，２ｂを、上記成形型２０の凹部２１に対して位置決めし、その状態で、上記アンダークラッド層１を上記成形型２０に押圧し、上記オーバークラッド層３の形成材料である感光性樹脂３Ａ内に、上記コア２ａ，２ｂを浸す。そして、この状態で、紫外線等の照射線を、上記成形型２０を透して上記感光性樹脂３Ａに照射し、その感光性樹脂３Ａを露光する。これにより、上記感光性樹脂３Ａが硬化し、コア２ａ，２ｂの先端部に対応するオーバークラッド層３の部分がレンズ部３ａに形成されたオーバークラッド層３が形成される。
【００４２】
つぎに、図５（ｂ）〔図５（ａ）とは上下を逆に図示している〕に示すように、上記成形型２０〔図５（ａ）参照〕から、上記オーバークラッド層３を、上記基板１０，アンダークラッド層１およびコア２ａ，２ｂと共に脱型する。
【００４３】
そして、図５（ｃ）に示すように、上記基板１０〔図４（ｂ）参照〕をアンダークラッド層１から剥離し、アンダークラッド層１，コア２ａ，２ｂおよびオーバークラッド層３からなる帯状の光導波路部分を得る。
【００４４】
一方、別工程で、回路基板（図示せず）を準備し、それに、発光素子５１，５２（図３参照），受光素子６１，６２（図３参照），上記入力デバイスＡ（図１参照）を制御するＣＰＵ（図示せず），上記光導波路Ｗ（図１参照）の入力用中空部Ｓ内の領域に入力した情報を出力する出力モジュール（図示せず），上記記憶手段（図示せず），電池（図示せず）等を搭載し、前記制御手段を作製する。
【００４５】
ここで、図６に平面図で示すように、入力用中空部Ｓを有する四角枠状の保持板３０を準備する。この保持板３０の形成材料としては、例えば、金属，樹脂，ガラス，石英，シリコン等があげられる。なかでも、平面性の保持に優れている点で、ステンレスが好ましい。
【００４６】
そして、図７に平面図で示すように、上記四角枠状の保持板３０の表面に、上記帯状の光導波路部分を貼着し、四角枠状の光導波路Ｗを作製する。つぎに、上記発光素子５１，５２を光出射用のコア２ａに接続し、上記受光素子６１，６２を光入射用のコア２ｂに接続する。
【００４７】
その後、上記オーバークラッド層３のレンズ部３ａを除く頂面および外周側面と、上記制御手段の全体とを、保護板４０〔図２（ａ），（ｂ）参照〕で覆う。この保護板４０の形成材料としては、例えば、樹脂，金属，ガラス，石英，シリコン等があげられる。保護板４０の厚みは、例えば、金属製であれば、０．５ｍｍ程度、樹脂製であれば、０．８ｍｍ程度に設定される。このようにして、上記入力デバイスＡ〔図２（ａ），（ｂ）参照〕を作製することができる。
【００４８】
図８は、本発明の入力デバイスの第２の実施の形態における光導波路等を示す平面図である。この実施の形態の入力デバイスＡは、上記第１の実施の形態（図３参照）における第２の発光手段からの光（縦方向の光）を、上記長方形状の縦方向（Ｙ軸方向）に対し、斜め左方向に出射するようにしたものである。それ以外の部分は、上記第１の実施の形態と同様であり、同様の部分には同じ符号を付している。このようにしても、上記第１の実施の形態と同様の作用・効果を奏する。
【００４９】
図９（ａ）〜（ｃ）は、本発明の入力デバイスの第３の実施の形態における光導波路等を示す平面図である。この実施の形態の入力デバイスＡは、図９（ｂ），（ｃ）に示す２枚の光導波路Ｗ1 ，Ｗ2 が、それぞれのアンダークラッド層１〔図５（ｃ）参照〕の裏面で接着されて積層されてなるもの〔図９（ａ）参照〕が用いられている。両光導波路Ｗ1 ，Ｗ2 は、長方形状の走光用中空部Ｒを有する四角枠状に形成されている。そして、積層されているうちの一方（上側，下側のどららでもよい）の（第１の）光導波路Ｗ1 が、斜め下方向に光を出射し、他方の（第２の）光導波路Ｗ2 が、縦方向に光を出射するよう形成されている。また、この実施の形態では、上記長方形状の走光用中空部Ｒの大きさで、長方形状の入力用中空部Ｓが形成されている。それ以外の部分は、上記第１の実施の形態（図３参照）と同様であり、同様の部分には同じ符号を付している。
【００５０】
より詳しく説明すると、上記四角枠状の第１の光導波路Ｗ1 は、図９（ｂ）に示すように、その四角枠形状を構成する一対のＬ字状部分のうち、一方〔図９（ｂ）では右上側〕が光出射側、他方〔図９（ｂ）では左下側〕が光入射側になっている。そして、光出射側では、そのＬ字状部分の角部に、１個の発光素子５１が接続され、その接続部分から、光出射用のコアが複数に分岐され、先端部（光出射部）が斜め下方向に形成されている。その複数の光出射用のコアと上記１個の発光素子５１とから第１の発光手段が構成されている。また、光入射側では、そのＬ字状部分の角部に、１個の受光素子６１が接続され、その接続部分から、複数の光入射用のコアが並列状態で形成され、先端部（光入射部）が斜め上方向に形成されている。その複数の光入射用のコアと上記１個の受光素子６１とから第１の受光手段が構成されている。
【００５１】
一方、上記四角枠状の第２の光導波路Ｗ2 は、図９（ｃ）に示すように、その四角枠形状を構成する４辺のうち、縦方向で対向する一対の辺の、一方〔図９（ｃ）では下側〕が光出射側、他方〔図９（ｃ）では上側〕が光入射側になっている。光出射側の１辺は、上記第１の光導波路Ｗ1 の光入射側に対応する側に設定され、光入射側の１辺は、上記第１の光導波路Ｗ1 の光出射側に対応する側に設定されている。そして、光出射側では、その１辺の一端部に、別の１個の発光素子５２が接続され、その接続部分から、光出射用のコアが複数に分岐されている。その複数の光出射用のコアと上記１個の発光素子５２とから第２の発光手段が構成されている。また、光入射側では、その１辺の一端部に、別の１個の受光素子６２が接続され、その接続部分から、複数の光入射用のコアが並列状態で形成されている。その複数の光入射用のコアと上記１個の受光素子６２とから第２の受光手段が構成されている。
【００５２】
そして、上記入力用中空部Ｓにおいて、上記第１の発光手段からの（第１の光導波路Ｗ1 における）斜め下方向の平行光群と、上記第２の発光手段からの（第２の光導波路Ｗ2 における）縦方向の平行光群とは、高さ方向に距離をおいて走っており、平面視では斜めに交差した状態になっている。
【００５３】
この実施の形態では、斜め下方向の出射光Ｈ1 の角度を大きく（走光用中空部Ｒの対角線と同じ角度）設定できるため、より確実に、ペン先Ｐがペンを持つ手Ｑの影Ｕの内側に位置しないようにすることができる。また、入力用中空部Ｓと走光用中空部Ｒとを同じ大きさにできるため、四角枠状の保護板４０の額縁幅を狭くすることができ、走光用中空部Ｒを有効利用することができる。さらに、入力用中空部Ｓ（走光用中空部Ｒ）が長方形であり、その短辺から出射した光は長辺に入射し、長辺から出射した光は短辺に入射することから、出射および入射が辺で対応し、制御し易くなっている。
【００５４】
図１０（ａ）〜（ｃ）は、本発明の入力デバイスの第４の実施の形態における光導波路等を示す平面図である。この実施の形態の入力デバイスＡは、上記第３の実施の形態〔図９（ａ）〜（ｃ）参照〕において、受光素子６１の接続位置が変わったものである。すなわち、第１の受光手段（第１の光導波路Ｗ1 ）では、Ｌ字状部分の両端にそれぞれ１個の受光素子６１，６２が接続され、そのうちの１個（図では左上角部）の受光素子６２は、第２の受光手段（第２の光導波路Ｗ2 ）にも接続（第１および第２の受光手段で共有）されている。その第２の受光手段は、上記第３の実施の形態と同様である。それ以外の部分は、上記第３の実施の形態と同様であり、同様の部分には同じ符号を付している。このようにしても、上記第３の実施の形態と同様の作用・効果を奏する。
【００５５】
なお、上記のように、受光素子６２を上下の光導波路Ｗ1 ，Ｗ2 の光入射用のコアに接続する場合は、上側の接続位置と下側の接続位置とが水平方向にずれているように設定する。または、発光素子５１，５２の発光タイミングを変え、上側の光入射用のコアに光が入射したときは、上側の光導波路Ｗ1 のデータとし、下側の光入射用のコアに光が入射したときは、下側の光導波路Ｗ2 のデータとする。
【００５６】
図１１（ａ）〜（ｃ）は、本発明の入力デバイスの第５の実施の形態における光導波路等を示す平面図である。この実施の形態の入力デバイスＡは、上記第３の実施の形態〔図９（ａ）〜（ｃ）参照〕において、第１の発光手段からの（第１の光導波路Ｗ1 における）斜め下方向の出射光Ｈ1 の角度を小さくしている。そして、第１の受光手段（第１の光導波路Ｗ1 ）では、受光素子６２が、角部に加えて、Ｌ字状部分の一端（図では左上角部）にも接続され、その加えられた受光素子６２は、第２の受光手段（第２の光導波路Ｗ2 ）にも接続（第１および第２の受光手段で共有）されている。その第２の受光手段は、上記第３の実施の形態と同様である。それ以外の部分は、上記第３の実施の形態と同様であり、同様の部分には同じ符号を付している。このようにしても、上記第３の実施の形態と同様、四角枠状の保護板４０の額縁幅を狭くすることができ、走光用中空部Ｒを有効利用することができる。
【００５７】
図１２は、本発明の入力デバイスの第６の実施の形態における光導波路等を示す平面図である。この実施の形態の入力デバイスＡは、上記第１の実施の形態（図３参照）において、走光用中空部Ｒを長方形状にし、第１の発光手段からの（第１の光導波路Ｗ1 における）斜め下方向の出射光Ｈ1 のうち、両端側（図では上下端側）の出射光Ｈ1 の角度を、両端側にいくにつれて小さくしたものである。それ以外の部分は、上記第１の実施の形態と同様であり、同様の部分には同じ符号を付している。
【００５８】
この実施の形態では、走光用中空部Ｒを長方形状にしたため、その走光用中空部Ｒと入力用中空部Ｓとを同じ大きさにできる。そのため、四角枠状の保護板４０の額縁幅を狭くすることができ、走光用中空部Ｒを有効利用することができる。また、光導波路Ｗが１枚でペン先Ｐの位置感知が可能であるため、薄型化が可能である。さらに、入力用中空部Ｓ（走光用中空部Ｒ）が長方形であり、その短辺から出射した光は短辺に入射し、長辺から出射した光は長辺に入射することから、制御し易くなっている。
【００５９】
図１３（ａ）〜（ｃ）は、本発明の入力デバイスの第７の実施の形態における光導波路等を示す平面図である。この実施の形態の入力デバイスＡは、上記第３の実施の形態〔図９（ａ）〜（ｃ）参照〕において、第１の発光手段（第１の光導波路Ｗ1 ）のＬ字状部分の２辺からの斜め下方向の出射光Ｈ1 を、第１の受光手段（第１の光導波路Ｗ1 ）のＬ字状部分の縦方向の１辺に入射させるようにしている。そのため、入力用中空部Ｓ（走光用中空部Ｒ）の上端側では、出射光Ｈ1 の分布密度を高くし、入力用中空部Ｓ（走光用中空部Ｒ）の下端側では、出射光Ｈ1 の角度を小さくしている。それ以外の部分は、上記第３の実施の形態と同様であり、同様の部分には同じ符号を付している。
【００６０】
この実施の形態でも、上記第３の実施の形態と同様、四角枠状の保護板４０の額縁幅を狭くすることができ、走光用中空部Ｒを有効利用することができる。また、斜め下方向の出射光Ｈ1 が１辺の長辺に入射することから、制御し易くなっている。
【００６１】
図１４（ａ）〜（ｃ）は、本発明の入力デバイスの第８の実施の形態における光導波路等を示す平面図である。この実施の形態の入力デバイスＡは、上記第７の実施の形態〔図１３（ａ）〜（ｃ）参照〕において、第１の発光手段からの（第１の光導波路Ｗ1 における）出射光Ｈ1 の角度を均一にするとともに、出射光Ｈ1 のうち、入力用中空部Ｓ（走光用中空部Ｒ）の下端側の出射光Ｈ1 を除いたものである。それ以外の部分は、上記第７の実施の形態と同様であり、同様の部分には同じ符号を付している。このようにしても、上記第７の実施の形態と同様の作用・効果を奏する。
【００６２】
図１５（ａ）〜（ｃ）は、本発明の入力デバイスの第９の実施の形態における光導波路等を示す平面図である。この実施の形態の入力デバイスＡは、積層されている２枚の光導波路Ｗ1 ，Ｗ2 うちの一方（上側，下側のどららでもよい）の（第１の）光導波路Ｗ1 で、２組の平行光群を斜めに交差させ、他方の（第２の）光導波路Ｗ2 で、２組の平行光群を格子状に交差させている。そして、第１の発光手段（第１の光導波路Ｗ1 ）の角部（図では右上角部）に、１個の発光素子５１が接続され、第２の発光手段（第２の光導波路Ｗ2 ）の角部（図では右上角部）に、別の１個の発光素子５２が接続されている。また、第１の受光手段（第１の光導波路Ｗ1 ）の２本の光導波路部分にそれぞれ１個ずつの受光素子６１，６２が接続され、それら受光素子６１，６２は、第２の受光手段（第２の光導波路Ｗ2 ）の２本の光導波路部分にもそれぞれ１個ずつ接続（第１および第２の受光手段で共有）されている。
【００６３】
この実施の形態では、入力用中空部Ｓに入力する際に、入力用中空部Ｓにペンを持つ手Ｑがある場合は、光が斜めに交差する第１の発光手段の発光素子５１を発光させ、入力用中空部Ｓにペンを持つ手Ｑがない場合は、光が格子状に交差する第２の発光手段の発光素子５２を発光させるよう、上記２個の発光素子５１，５２を切り換えることができる。また、四角枠状の保護板４０の額縁幅を狭くすることができ、走光用中空部Ｒを有効利用することができる。さらに、設計や座標変換が容易にできる。
【００６４】
なお、以上の各実施の形態では、入力デバイスＡの四角枠状の光導波路Ｗにおいて、入力用中空部Ｓ内での光伝送効率を向上させるために、光出射用のコア２ａの先端部および光入射用のコア２ｂの先端部をレンズ部に形成するとともに、それを被覆するオーバークラッド層３の先端部もレンズ部３ａに形成したが、入力用中空部Ｓ内での光伝送効率が充分であれば、上記レンズ部は、コア２ａ，２ｂまたはオーバークラッド層３の一方のみに形成してもよいし、両方とも形成しなくてもよい。また、上記レンズ部を形成しない場合、別体のレンズ体を準備し、上記光導波路Ｗの入力用中空部Ｓ内の周縁縁に沿って設置してもよい。
【００６５】
また、以上の各実施の形態では、斜め下方向の光を出射する設定手段として、コア２ａの先端部（光出射部）を斜め下方向に形成したが、光が出射されるオーバークラッド層３の部分の前方にレンズ体を設け、そのレンズ体を上記設定手段として、光を斜め下方向に出射させるようにしてもよい。
【００６６】
図１６は、本発明の入力デバイスの第１０の実施の形態を示す平面図である。この実施の形態の入力デバイスＢは、前記第１の実施の形態〔図２（ａ），（ｂ）参照〕において、光導波路Ｗならびにそれに接続される発光素子５１，５２および受光素子６１，６２に代えて、複数の発光ダイオード（発光手段）１１，複数のフォトダイオード（受光手段）１２を用い、入力用中空部Ｓ内の領域において、出射光Ｈ1 ，Ｈ2 を斜めに交差させるようにした入力デバイスＢである。この第１０の実施の形態の入力デバイスＢも、前記第１の実施の形態と同様にして使用され、同様の作用・効果を奏する。
【００６７】
また、前記第２〜９の実施の形態においても、上記第１０の実施の形態と同様にして、光導波路Ｗならびにそれに接続される発光素子５１，５２および受光素子６１，６２に代えて、発光ダイオード１１およびフォトダイオード１２を用いてもよい。
【００６８】
なお、上記各実施の形態では、入力体としてペン（筆記具）を使用したが、その入力体は、入力用中空部Ｓ内で文字等を入力するために用いる道具であり、紙に記入する必要がなければ、入力体として、先の細い棒体等を使用してもよい。
【００６９】
さらに、上記各実施の形態では、入力デバイスＡ，Ｂをパソコンとともに使用し、上記入力デバイスへの入力情報を上記パソコンのディスプレイに表示したが、上記各実施の形態におけるパソコンの機能と同様の機能を、上記入力デバイスＡ，Ｂまたは上記ディスプレイに付与し、パソコンを使用することなく、ディスプレイに表示するようにしてもよい。
【００７０】
つぎに、実施例について説明する。但し、本発明は、実施例に限定されるわけではない。
【実施例】
【００７１】
〔実施例１〕
〔アンダークラッド層の形成材料〕
成分Ａ：脂環骨格を含むエポキシ樹脂（ダイセル化学工業社製、ＥＨＰＥ３１５０）７５重量部。
成分Ｂ：エポキシ基含有アクリル系ポリマー（日油社製、マープルーフＧ−０１５０Ｍ）２５重量部。
成分Ｃ：光酸発生剤（サンアプロ社製、ＣＰＩ−２００Ｋ）４重量部。
これら成分Ａ〜Ｃを、紫外線吸収剤（チバジャパン社製、ＴＩＮＵＶＩＮ４７９）５重量部とともに、シクロヘキサノン（溶剤）に溶解することにより、アンダークラッド層の形成材料を調製した。
【００７２】
〔コアの形成材料〕
成分Ｄ：ＢｉｓＡ骨格を含むエポキシ樹脂（ジャパンエポキシレジン社製、１５７Ｓ７０）８５重量部。
成分Ｅ：ＢｉｓＡ骨格を含むエポキシ樹脂（ジャパンエポキシレジン社製、エピコート８２８）５重量部。
成分Ｆ：エポキシ基含有スチレン系ポリマー（日油社製、マープルーフＧ−０２５０ＳＰ）１０重量部。
これら成分Ｄ〜Ｆと上記成分Ｃ４重量部とを、乳酸エチルに溶解することにより、コアの形成材料を調製した。
【００７３】
〔オーバークラッド層の形成材料〕
成分Ｇ：脂環骨格を有するエポキシ樹脂（アデカ社製、ＥＰ４０８０Ｅ）１００重量部。
この成分Ｇと上記成分Ｃ２重量部とを混合することにより、オーバークラッド層の形成材料を調製した。
【００７４】
〔光導波路の作製〕
ステンレス製基板（厚み５０μｍ）の表面に、上記アンダークラッド層の形成材料を塗布した後、１６０℃×２分間の加熱処理を行い、感光性樹脂層を形成した。ついで、上記感光性樹脂層に対し、紫外線を照射して積算光量１０００ｍＪ／ｃｍ2 の露光を行い、厚み１０μｍのアンダークラッド層（波長８３０ｎｍにおける屈折率１．５１０）を形成した。
【００７５】
ついで、上記アンダークラッド層の表面に、上記コアの形成材料を塗布した後、１７０℃×３分間の加熱処理を行い、感光性樹脂層を形成した。つぎに、フォトマスクを介して（ギャップ１００μｍ）、紫外線を照射し、積算光量３０００ｍＪ／ｃｍ2 の露光を行った。つづいて、１２０℃×１０分間の加熱処理を行った。その後、現像液（γ−ブチロラクトン）を用い現像することにより、未露光部分を溶解除去した後、１２０℃×５分間の乾燥処理を行い、幅３０μｍ×高さ５０μｍのコア（波長８３０ｎｍにおける屈折率１．５７０）をパターン形成した。
【００７６】
ここで、オーバークラッド層形成用の、透光性を有する成形型を準備した。この成形型には、オーバークラッド層の表面形状に対応する型面を有する凹部が形成されている。そして、その凹部を上にして、成形型を成形ステージの上に設置し、その凹部に、上記オーバークラッド層の形成材料を充填した。
【００７７】
ついで、上記アンダークラッド層の表面にパターン形成したコアを、上記成形型の凹部に対して位置決めし、その状態で、上記アンダークラッド層を上記成形型に押圧し、上記オーバークラッド層の形成材料内に、上記コアを浸した。そして、この状態で、紫外線を、上記成形型を透して上記オーバークラッド層の形成材料に照射して積算光量８０００ｍＪ／ｃｍ2 の露光を行い、コアの先端部に対応するオーバークラッド層の部分が凸状のレンズ部に形成されたオーバークラッド層を形成した。その凸状のレンズ部は、側断面形状が略１／４円弧状のレンズ曲面（曲率半径１．４ｍｍ）を有するものであった。
【００７８】
つぎに、上記成形型から、上記オーバークラッド層を、上記基板，アンダークラッド層およびコアと共に脱型した。
【００７９】
そして、上記基板をアンダークラッド層から剥離し、アンダークラッド層，コアおよびオーバークラッド層からなる帯状の光導波路部分（総厚１ｍｍ）を得た。
【００８０】
〔入力デバイスの作製〕
つぎに、回路基板を準備し、それに、発光素子（Ｏｐｔｏｗｅｌｌ社製、ＳＭ８５−２Ｎ００１），受光素子（浜松ホトニクス社製、Ｓ−１０２２６），ＣＭＯＳ駆動ＣＰＵ，水晶振動子，無線モジュール，２個のコイン型リチウム電池（ＣＲ１２１６：厚み１．６ｍｍ、直径１．２５ｍｍ、電圧３Ｖ）等を搭載し、制御手段を作製した。
【００８１】
ここで、四角枠状のステンレス製保持板（厚み０．５ｍｍ）を準備した。この保持板の入力用中空部は、縦２０ｃｍ×横３０ｃｍの長方形とした。そして、上記保持板の表面のうち、上記入力用中空部の外側部分に、上記帯状の光導波路部分を貼着し、四角枠状の光導波路を作製するとともに、上記制御手段を固定した。このとき、上記発光素子を光出射用のコアに接続し、上記受光素子を光入射用のコアに接続した。その後、上記オーバークラッド層のレンズ部を除く頂面と、上記制御手段の固定部分とを、四角枠状のステンレス製保護板（厚み０．５ｍｍ）で被覆し、第１の実施の形態〔図２（ａ）参照〕と同様の入力デバイスを得た。
【００８２】
〔実施例２〕
〔入力デバイスの作製〕
上記実施例１と同様の四角枠状の保持板を準備し、その入力用中空部の対向する一方の周縁に、複数の発光ダイオード（シャープ社製、ＧＬ４８００Ｅ００００Ｆ）を並設し、他方の周縁に、複数のフォトダイオード（シャープ社製、ＰＤ４１１ＰＩ２Ｅ００Ｐ）を並設した。また、上記実施例１〜３と同様に、回路基板に、ＣＭＯＳ駆動ＣＰＵ，水晶振動子，無線モジュール，２個のコイン型リチウム電池等を搭載して制御手段を作製し、それを上記保持板に固定した。ここで、上記発光ダイオード，フォトダイオード，制御手段を、四角枠状のステンレス製保護板（厚み０．５ｍｍ）で被覆し、第１０の実施の形態（図１６参照）と同様の入力デバイスを得た。
【００８３】
〔入力デバイスの作動確認〕
パソコンを準備した。なお、上記パソコンには、上記入力デバイスの四角枠状の光導波路の入力用中空部内の領域の座標を、ディスプレイの画面の座標に変換し、入力デバイスで入力した文字等をディスプレイに表示するソフトウェア（プログラム）が、組み込まれている。また、上記パソコンは、上記入力デバイスの無線モジュールからの電波（情報）を受信できるよう受信手段を備えており、上記パソコンと入力デバイスとを、無線で情報伝達可能に接続した。
【００８４】
そして、上記実施例１，２の入力デバイスを、そのステンレス製保持板を下にして、紙の上に載置した。ついで、上記入力用中空部内の領域から露呈する上記紙に、ペンで文字を記入した。その結果、その文字が、上記ディスプレイに表示された。
【００８５】
また、前記第２〜９の実施の形態と同様の入力デバイスを作製し、それを用いても、上記実施例１と同様の結果を得た。さらに、上記実施例２のように、前記第２〜９の実施の形態に対応する入力デバイスを作製し、それを用いても、上記実施例２のように、入力デバイスを作製し、それを用いても、上記実施例２と同様の結果を得た。
【産業上の利用可能性】
【００８６】
本発明の入力デバイスは、ディスプレイに表示された資料等に、文字，図，印等の新たな情報を書き加えたり、その情報を消去したりすることに利用可能である。
【符号の説明】
【００８７】
Ａ  入力デバイス
Ｓ  入力用中空部
Ｗ  光導波路
５１，５２  発光素子
６１，６２  受光素子
Ｈ1 ，Ｈ2   出射光
【図１】
2013016009.tif 000003
【図２】
2013016009.tif 000004
【図３】
2013016009.tif 000005
【図４】
2013016009.tif 000006
【図５】
2013016009.tif 000007
【図６】
2013016009.tif 000008
【図７】
2013016009.tif 000009
【図８】
2013016009.tif 000010
【図９】
2013016009.tif 000011
【図１０】
2013016009.tif 000012
【図１１】
2013016009.tif 000013
【図１２】
2013016009.tif 000014
【図１３】
2013016009.tif 000015
【図１４】
2013016009.tif 000016
【図１５】
2013016009.tif 000017
【図１６】
2013016009.tif 000018
【図１７】
2013016009.tif 000019